(57)【要約】【課題】車両の乗員が空き駐車スペースの位置を容易に認識できる表示制御装置、駐車支援装置、および表示制御方法を提供すること。【解決手段】表示制御装置２００は、車両１が現時点よりも過去に位置していた位置で撮影された空き駐車スペースの撮影画像に基づいて空き駐車スペースの俯瞰画像を生成し、空き駐車スペースおよび車両１それぞれの位置情報に基づいて、空き駐車スペースおよび車両１それぞれの俯瞰画像を含む表示用俯瞰画像を生成し、表示装置５へ出力する。表示装置５に表示される表示用俯瞰画像には、車載カメラの現在の画角外にある空き駐車スペースの俯瞰画像と、車両の現在位置から見て静止物の陰に隠れる空き駐車スペースの俯瞰画像と、のうち少なくとも一方が含まれる。【選択図】図２
2020147229.tif 000002
【特許請求の範囲】
【請求項１】
車両の周辺に存在する空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させる受取部と、
前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力する生成部と、を有し、
前記表示装置に表示される前記表示用俯瞰画像には、
前記カメラの現在の画角外にある前記空き駐車スペースの俯瞰画像と、
前記車両の現在の位置から見て静止物の陰に隠れる前記空き駐車スペースの俯瞰画像と、
のうち少なくとも一方が含まれる、
表示制御装置。
【請求項２】
前記表示用俯瞰画像は、
前記車両が走行している間、前記車両の現在位置から所定範囲内に存在する前記空き駐車スペースの俯瞰画像が表示されるように更新される、
請求項１に記載の表示制御装置。
【請求項３】
前記受取部は、
前記車両の周辺に存在する静止物が検知される度に、前記静止物の位置情報、および、前記カメラにより撮影された前記静止物の撮影画像を受け取り、前記静止物の位置情報と前記静止物の撮影画像とを対応付けて前記記憶部に記憶させ、
前記生成部は、
前記静止物の撮影画像に基づいて前記静止物の俯瞰画像を生成し、
前記静止物の位置情報に基づいて前記静止物の俯瞰画像をさらに前記表示用俯瞰画像に含めて前記表示装置へ出力する、
請求項１に記載の表示制御装置。
【請求項４】
前記表示装置に表示される前記表示用俯瞰画像には、
前記カメラの画角外にある前記静止物の俯瞰画像が含まれる、
請求項３に記載の表示制御装置。
【請求項５】
前記表示装置に表示される前記表示用俯瞰画像には、
前記空き駐車スペースの俯瞰画像との重複部分が削除された前記静止物の俯瞰画像が含まれる、
請求項３または４に記載の表示制御装置。
【請求項６】
前記表示用俯瞰画像は、
前記車両が走行している間、前記車両の現在位置から所定範囲内に存在する前記空き駐車スペースおよび前記静止物それぞれの俯瞰画像が表示されるように更新される、
請求項３から５のいずれか１項に記載の表示制御装置。
【請求項７】
前記車両は、
前記空き駐車スペースに自動駐車を行う車両である、
請求項１から６のいずれか１項に記載の表示制御装置。
【請求項８】
車両の周辺に存在する空き駐車スペースを検知する検知部と、
前記車両の走行を制御し、前記空き駐車スペースに前記車両を自動駐車させる走行制御部と、
前記検知部により前記空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させる受取部と、
前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力する生成部と、を有し、
前記表示装置に表示される前記表示用俯瞰画像には、
前記カメラの現在の画角外にある前記空き駐車スペースの俯瞰画像と、
前記車両の現在の位置から見て静止物の陰に隠れる前記空き駐車スペースの俯瞰画像と、
のうち少なくとも一方が含まれる、
駐車支援装置。
【請求項９】
車両に搭載される装置が行う表示制御方法であって、
前記車両の周辺に存在する空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させるステップと、
前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力するステップと、を有し、
前記表示装置に表示される前記表示用俯瞰画像には、
前記カメラの現在の画角外にある前記空き駐車スペースの俯瞰画像と、
前記車両の現在の位置から見て静止物の陰に隠れる前記空き駐車スペースの俯瞰画像と、
のうち少なくとも一方が含まれる、
表示制御方法。
【発明の詳細な説明】
【技術分野】
【０００１】
本開示は、表示制御装置、駐車支援装置、および表示制御方法に関する。
【背景技術】
【０００２】
例えば、特許文献１には、車両の周辺を撮影するカメラを用いて撮影された空き駐車スペースの画像を俯瞰画像に変換し、その俯瞰画像に自車両を示す画像を合成して表示用画像を生成し、その表示用画像を表示する駐車支援装置が開示されている。
【先行技術文献】
【特許文献】
【０００３】
【特許文献１】特開２００９−０８３７３５号公報
【発明の概要】
【発明が解決しようとする課題】
【０００４】
しかしながら、従来の装置では、例えば、空き駐車スペースを探索中の車両が、検知された空き駐車スペースを通り過ぎた場合、その空き駐車スペースを示す俯瞰画像が表示されないことがある。よって、車両の乗員は、検知された空き駐車スペースの位置を認識できないという課題がある。
【０００５】
本開示の一態様の目的は、車両の乗員が空き駐車スペースの位置を容易に認識できる表示制御装置、駐車支援装置、および表示制御方法を提供することである。
【課題を解決するための手段】
【０００６】
本開示の一態様に係る表示制御装置は、車両の周辺に存在する空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させる受取部と、前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力する生成部と、を有し、前記表示装置に表示される前記表示用俯瞰画像には、前記カメラの現在の画角外にある前記空き駐車スペースの俯瞰画像と、前記車両の現在の位置から見て静止物の陰に隠れる前記空き駐車スペースの俯瞰画像と、のうち少なくとも一方が含まれる。
【０００７】
本開示の一態様に係る駐車支援装置は、車両の周辺に存在する空き駐車スペースを検知する検知部と、前記車両の走行を制御し、前記空き駐車スペースに前記車両を自動駐車させる走行制御部と、前記検知部により前記空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させる受取部と、前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力する生成部と、を有し、前記表示装置に表示される前記表示用俯瞰画像には、前記カメラの現在の画角外にある前記空き駐車スペースの俯瞰画像と、前記車両の現在の位置から見て静止物の陰に隠れる前記空き駐車スペースの俯瞰画像と、のうち少なくとも一方が含まれる。
【０００８】
本開示の一態様に係る表示制御方法は、車両に搭載される装置が行う表示制御方法であって、前記車両の周辺に存在する空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させるステップと、前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力するステップと、を有し、前記表示装置に表示される前記表示用俯瞰画像には、前記カメラの現在の画角外にある前記空き駐車スペースの俯瞰画像と、前記車両の現在の位置から見て静止物の陰に隠れる前記空き駐車スペースの俯瞰画像と、のうち少なくとも一方が含まれる。
【発明の効果】
【０００９】
本開示によれば、車両の乗員が空き駐車スペースの位置を容易に認識できる。
【図面の簡単な説明】
【００１０】
【図１】本開示に至った知見の説明に供する、車両、駐車車両、および空き駐車スペースの位置関係の一例を示す模式図
【図２】本開示の実施の形態に係る駐車支援装置の構成例を示すブロック図
【図３】本開示の実施の形態に係る表示制御装置の動作例を示すフローチャート
【図４】本開示の実施の形態に係る俯瞰画像の一例を示す模式図
【図５】本開示の変形例１に係る表示制御装置の動作例を示すフローチャート
【図６】本開示の変形例１に係る俯瞰画像の一例を示す模式図
【図７】本開示の実施の形態に係る駐車支援装置に含まれるコンピュータのハードウェア構成の一例を示す図
【発明を実施するための形態】
【００１１】
本開示に至った知見について、図１を用いて説明する。図１は、車両、駐車車両、および空き駐車スペースの位置関係の一例を示す模式図である。図１は、車両、駐車車両、および空き駐車スペースのそれぞれを真上から見た状態を示している。本明細書において、「駐車車両」とは、駐車中の他車両をいう。また、「空き駐車スペース」とは、他車両が駐車していない駐車スペースをいう。
【００１２】
図１に示す駐車車両Ｖ１、Ｖ２は、区画線Ｌによって区切られた駐車スペース（ここでは、車両１台が並列駐車可能なスペース）に並列駐車している他車両である。また、図１に示す駐車スペースＢＳ１、ＢＳ２は、それぞれ、空き駐車スペースである。
【００１３】
図１に示す車両１は、例えば、自動駐車を実行する車両（例えば、乗用車）である。
【００１４】
本明細書において、「自動駐車」は、車両の乗員による全ての運転操作を必要とすることなく行われる自動駐車でもよいし、または、車両の乗員による一部の運転操作を必要とすることなく行われる自動駐車でもよい。前者は、例えば、車両に搭載された駐車支援装置が、加減速、制動、および操舵の操作を必要とすることなく、車両の加減速、制動、および操舵を制御することにより（換言すれば、完全自動運転により）、車両を空き駐車スペースへ誘導し、駐車させる動作である。後者は、例えば、車両に搭載された駐車支援装置が、操舵の操作を必要とすることなく操舵を制御し、車両の乗員の操作に基づいて加減速および制動を制御することにより、車両を空き駐車スペースへ誘導し、駐車させる動作である。
【００１５】
ここでは例として、車両１に搭載された車載カメラよって撮影された画像（以下、撮影画像という）に基づいて、空き駐車スペースが検知されるとする。なお、撮影画像に基づいて空き駐車スペースを検知する方法は、公知の方法を用いることができるので、ここでの説明は省略する。
【００１６】
図１に示すように、車両１は、車両１の左方を撮影する左サイドカメラ３ａ、車両１の右方を撮影する右サイドカメラ３ｂ、車両１の前方を撮影するフロントカメラ３ｃ、車両１の後方を撮影するリアカメラ３ｄを備えている。なお、図１では、各カメラが１つずつ設けられている場合を例示したが、各カメラは、複数個設けられてもよい。
【００１７】
例えば、図１に示した位置にある車両１が、空き駐車スペースを探索するために、各カメラによる撮影を行いながら進行方向Ａへ徐行したとする。その結果、撮影画像に基づいて、駐車スペースＢＳ１、ＢＳ２が空き駐車スペースとして検出され、駐車車両Ｖ１、Ｖ２が静止物として検出されたとする。
【００１８】
そして、例えば、車両１の乗員により俯瞰画像の表示を指示する操作が行われた場合、従来の装置（例えば、特許文献１の装置）は、撮影画像を俯瞰画像に変換し、その俯瞰画像に対して車両１の画像（例えば、車両１を真上から見た状態を示す画像）を合成して表示する。
【００１９】
ここで、例えば、空き駐車スペースとして検知された駐車スペースＢＳ１、ＢＳ２のうち、駐車スペースＢＳ１が左サイドカメラ３ａの画角外に存在している場合、表示される俯瞰画像には、駐車スペースＢＳ１を示す画像が含まれない。よって、車両１の乗員は、表示された俯瞰画像を見ても、空き駐車スペースとして検知された駐車スペースＢＳ１の位置を認識することができない。
【００２０】
本開示は、車両の乗員が、検知された空き駐車スペースの位置を容易に認識できるようにすることを目的とする。
【００２１】
以上、本開示に至った知見について説明した。
【００２２】
以下、本開示の実施の形態について、図面を参照しながら説明する。なお、各図において共通する構成要素については同一の符号を付し、それらの説明は適宜省略する。
【００２３】
本実施の形態に係る駐車支援装置１００の構成について、図２を用いて説明する。図２は、本実施の形態の駐車支援装置１００の構成例を示すブロック図である。
【００２４】
図２に示す駐車支援装置１００は、例えば図１に示した車両１に搭載される。また、駐車支援装置１００は、車両１に搭載されたカメラ群３、自車位置センサ４、表示装置５、およびアクチュエータ群６と電気的に接続される。
【００２５】
カメラ群３は、例えば、図１に示した左サイドカメラ３ａ、右サイドカメラ３ｂ、フロントカメラ３ｃ、およびリアカメラ３ｄを含む。以下では、カメラ群３に含まれるカメラを「各カメラ」という。各カメラは、撮影により得られた撮影画像を駐車支援装置１００へ出力する。
【００２６】
各カメラによる撮影処理および撮影画像出力処理は、空き駐車スペースの探索中の間（例えば図１において車両１が進行方向Ａに沿って走行している間）、繰り返し行われる。
【００２７】
自車位置センサ４は、例えば図示しないＧＰＳ（Global Positioning System）衛星から受信した信号に基づいて車両１の位置および向きを検出し、検出された車両１の位置および向きを示す自車両位置情報を駐車支援装置１００へ出力する。
【００２８】
自車位置センサ４による上記処理は、空き駐車スペースの探索中の間（例えば図１において車両１が進行方向Ａに沿って走行している間）、繰り返し行われる。
【００２９】
なお、本実施の形態では、自車位置センサ４を用いて車両１の位置および向きを検出する場合を例に挙げて説明するが、自車位置センサ４以外の公知の手段や方法を用いて車両１の位置および向きが検出されてもよい。
【００３０】
また、図２では、自車位置センサ４のみを図示したが、車両１には、例えば、アクセルペダルの位置を検出するアクセルポジションセンサ、シフトレバーの位置を検出するシフトポジションセンサ、舵角を検出する舵角センサ、車両１の各車輪の回転速度を検出する車輪速センサ等の各種センサが設けられている。これらのセンサは、それぞれ、駐車支援装置１００と電気的に接続され、検出結果を示す信号を駐車支援装置１００へ出力する。これらの信号は、駐車支援装置１００が車両１を自動駐車させる際に用いられる。
【００３１】
表示装置５は、車両１の車室内に設けられ、車両１および車両１の周辺を示す俯瞰画像（詳細は後述）を表示する。
【００３２】
アクチュエータ群６は、車両１の加速、減速、制動、操舵等を実行するアクチュエータ群である。アクチュエータ群６は、例えば、加速および減速を実行するモータアクチュエータ、制動を実行するブレーキアクチュエータ、操舵を実行するステアリングアクチュエータ等の各種アクチュエータを含む。
【００３３】
駐車支援装置１００は、空き駐車スペースを検出し、その空き駐車スペースに車両１を自動駐車させる装置である。
【００３４】
駐車支援装置１００は、図７に示すように、ハードウェアとして、例えば、ＣＰＵ（Central Processing Unit）５０１、コンピュータプログラムを格納したＲＯＭ（Read Only Memory）５０２、ＲＡＭ（Random Access Memory）５０３を有する。ＣＰＵ５０１、ＲＯＭ５０２、およびＲＡＭ５０３は、互いに接続されている。
【００３５】
以下に説明する駐車支援装置１００および表示制御装置２００の各部（図２参照）の機能は、ＣＰＵ５０１がＲＯＭ５０２から読み出したコンピュータプログラムを実行することにより実現される。また、このコンピュータプログラムは、所定の記録媒体に記録されて、ユーザ等に提供されてもよい。
【００３６】
駐車支援装置１００は、検知部１１、走行制御部１２、および表示制御装置２００を有する。
【００３７】
検知部１１は、各カメラから受け取った撮影画像に基づいて、空き駐車スペースおよび静止物それぞれの位置を検知する。静止物は、例えば、駐車スペースに存在する駐車車両、ショッピングカート、またはコーン等であるが、これらに限定されない。なお、撮影画像に基づいて空き駐車スペースおよび静止物それぞれの位置を検知する方法は、公知の方法を用いることができるので、ここでの説明は省略する。
【００３８】
検知部１１による上記処理は、空き駐車スペースの探索中の間（例えば図１において車両１が進行方向Ａに沿って走行している間）、繰り返し行われる。
【００３９】
走行制御部１２は、検知部１１により検知された空き駐車スペースに車両１が自動駐車するように、アクチュエータ群６を制御する。この制御により、車両１は、空き駐車スペースに自動駐車を行う。なお、自動駐車が行われる空き駐車スペースは、車両１の乗員の操作によって決定されてもよいし、両１の乗員の操作によらず駐車支援装置１００によって決定されてもよい。
【００４０】
次に、表示制御装置２００について説明する。
【００４１】
表示制御装置２００は、表示装置５における画像の表示を制御する装置である。具体的には、表示制御装置２００は、車両１およびその周辺を示す俯瞰画像（具体的には、後述する第１〜第３の俯瞰画像のいずれか）を生成し、その俯瞰画像を表示装置５へ出力する。
【００４２】
図２に示すように、表示制御装置２００は、受取部１４、記憶部１５、判定部１６、および生成部１７を有する。
【００４３】
受取部１４は、検知部１１により検知された空き駐車スペースの位置情報と、各カメラのうちの少なくとも１つにより撮影された空き駐車スペースの画像（以下、空き駐車スペースの撮影画像という）とを受け取り、それらを対応付けて記憶部１５に記憶させる。
【００４４】
また、受取部１４は、検知部１１により検知された静止物の位置情報と、各カメラのうちの少なくとも１つにより撮影された静止物の画像（以下、静止物の撮影画像という）とを受け取り、それらを対応付けて記憶部１５に記憶させる。
【００４５】
記憶部１５は、受取部１４の制御により、空き駐車スペースの位置情報と、空き駐車スペースの撮影画像とを対応付けて記憶する。
【００４６】
また、記憶部１５は、受取部１４の制御により、静止物の位置情報と、静止物の撮影画像とを対応付けて記憶する。
【００４７】
また、記憶部１５は、予め用意された自車両画像を記憶する。自車両画像は、車両１の俯瞰画像である。
【００４８】
また、記憶部１５は、予め用意された報知画像を記憶する。報知画像は、空き駐車スペースが検知された旨を車両１の乗員に報知する画像である。例えば、報知画像は、空き駐車スペースが検知された旨を文字やイラスト等で示す画像である。
【００４９】
なお、図２では、記憶部１５が表示制御装置２００内に設けられる場合を例示したが、記憶部１５は、表示制御装置２００の外部または駐車支援装置１００の外部に設けられてもよい。
【００５０】
判定部１６は、検知部１１による検知結果に基づいて種々の判定処理を行う。この判定処理の詳細については、後述する。
【００５１】
生成部１７は、記憶部１５から読み出した画像（例えば、左サイドカメラ３ａ、右サイドカメラ３ｂ、フロントカメラ３ｃ、リアカメラ３ｄのそれぞれにより撮影された各撮影画像、および、自車両画像）に基づいて俯瞰画像を生成し、その俯瞰画像を表示装置５へ出力する。これにより、表示装置５には俯瞰画像が表示される。なお、生成部１７が行う俯瞰画像の生成処理の詳細については、後述する。また、生成部１７により生成され、表示装置５へ出力される後述の第１〜第３の俯瞰画像は、「表示用俯瞰画像」の一例に相当する。
【００５２】
以上、表示制御装置２００について説明した。
【００５３】
次に、表示制御装置２００の動作について、図３を用いて説明する。図３は、表示制御装置２００の動作例を示すフローチャートである。
【００５４】
図３のフローは、空き駐車スペースの探索の開始時に開始される。なお、上述したとおり、空き駐車スペースの探索中では、各カメラ、自車位置センサ４、および検知部１１による各処理が、繰り返し行われる。
【００５５】
まず、判定部１６は、検知部１１により空き駐車スペースが検知されたか否かを判定する（ステップＳ１）。
【００５６】
検知部１１により空き駐車スペースが検知されない場合（ステップＳ１：ＮＯ）、フローはステップＳ１へ戻る。
【００５７】
一方、検知部１１により空き駐車スペースが検知された場合（ステップＳ１：ＹＥＳ）、受取部１４は、検知部１１により検知された空き駐車スペースの位置情報と、各カメラのうちの少なくとも１つにより撮影された空き駐車スペースの撮影画像とを受け取り、それらを対応付けて、記憶部１５に記憶させる（ステップＳ２）。このステップＳ２の処理は、空き駐車スペースが検知される度に行われる。
【００５８】
次に、生成部１７は、記憶部１５から報知画像を読み出し、その報知画像を表示装置５へ出力する（ステップＳ３）。
【００５９】
これにより、表示装置５は、報知画像の表示を行う。よって、車両１の乗員は、空き駐車スペースが検知されたことを認識できる。なお、ステップＳ３の処理は、空き駐車スペースが検知される度に行われてもよい。
【００６０】
次に、判定部１６は、車両１が停車したか否かを判定する（ステップＳ４）。
【００６１】
ここで、車両１が停車しなかった場合（ステップＳ４：ＮＯ）、フローはステップＳ１へ戻る。
【００６２】
一方、車両１が停車した場合（ステップＳ４：ＹＥＳ）、判定部１６は、これから生成しようとする俯瞰画像に、検知部１１により検知された全ての空き駐車スペースが示されるか否かを判定する（ステップＳ５）。
【００６３】
例えば、判定部１６は、記憶部１５から読み出した全ての空き駐車スペースの位置情報と、自車位置センサ４から受け取った自車位置情報（ここでは、車両１の停車位置を示す情報）と、各カメラの画角とに基づいて、これから生成しようとする俯瞰画像に、検知された全ての空き駐車スペースが示されるか否かを判定する。
【００６４】
俯瞰画像に全ての空き駐車スペースが示される場合（ステップＳ５：ＹＥＳ）、フローは、ステップＳ６〜Ｓ７へ進む。一方、俯瞰画像に全ての空き駐車スペースが示されない場合（ステップＳ５：ＮＯ）、フローは、ステップＳ８〜Ｓ９へ進む。
【００６５】
まず、ステップＳ６〜Ｓ７について説明する。
【００６６】
生成部１７は、車両１の現在位置（例えば、停車位置）で各カメラにより撮影された各画像（以下まとめて、現在位置撮影画像という）と、自車両画像とに基づいて、第１の俯瞰画像を生成する（ステップＳ６）。
【００６７】
第１の俯瞰画像は、従来一般的な俯瞰画像である。ここで、ステップＳ６について、検知された空き駐車スペースが１つであり、現在位置撮影画像にその空き駐車スペースの撮影画像が含まれる場合を例に挙げて説明する。
【００６８】
まず、生成部１７は、記憶部１５から読み出した現在位置撮影画像（検知された空き駐車スペースの撮影画像を含む）に対して例えば歪曲補正処理や射影変換処理等を施す。そして、生成部１７は、それらの処理により得られた現在位置俯瞰画像（検知された空き駐車スペースの俯瞰画像を含む）と、記憶部１５から読み出した自車両画像とを合成して、第１の俯瞰画像を生成する。この生成の際、生成部１７は、自車位置センサ４から受け取った自車位置情報（ここでは、車両１の停車位置を示す情報）と、検知された空き駐車スペースの位置情報とに基づいて、自車両画像および空き駐車スペースの俯瞰画像の配置を行う。
【００６９】
そして、生成部１７は、ステップＳ６で生成された第１の俯瞰画像を表示装置５へ出力する（ステップＳ７）。
【００７０】
これにより、表示装置５は、ステップＳ６で生成された第１の俯瞰画像の表示を行う。
【００７１】
次に、ステップＳ８〜Ｓ９について説明する。
【００７２】
生成部１７は、現在位置撮影画像と、自車両画像と、車両１が現時点（例えば、停車時点）よりも過去に位置した位置（例えば、走行中の位置）で各カメラにより撮影された各画像（以下まとめて、過去位置撮影画像という）とに基づいて、第２の俯瞰画像を生成する（ステップＳ８）。
【００７３】
ここで、ステップＳ８について、検知された空き駐車スペースが図１に示した駐車スペースＢＳ１、ＢＳ２の２つであり、現在位置撮影画像に駐車スペースＢＳ２の撮影画像が含まれており、過去位置撮影画像に駐車スペースＢＳ１の撮影画像が含まれている場合（例えば、車両１の現在位置において駐車スペースＢＳ１が各カメラの画角外である場合）を例に挙げて説明する。
【００７４】
まず、生成部１７は、記憶部１５から読み出した現在位置撮影画像（検知された駐車スペースＢＳ２の撮影画像を含む）に対して例えば歪曲補正処理や射影変換処理等を施す。そして、生成部１７は、それらの処理により得られた現在位置俯瞰画像（検知された駐車スペースＢＳ２の俯瞰画像を含む）と、記憶部１５から読み出した自車両画像とを合成して、第１の俯瞰画像を生成する。この生成の際、生成部１７は、自車位置センサ４から受け取った自車位置情報（ここでは、車両１の停車位置を示す情報）と、駐車スペースＢＳ２の位置情報とに基づいて、自車両画像および駐車スペースＢＳ２の俯瞰画像の配置を行う。
【００７５】
次に、生成部１７は、記憶部１５から読み出した過去位置撮影画像（検知された駐車スペースＢ１の撮影画像を含む）に対して例えば歪曲補正処理や射影変換処理等を施し、それらの処理により過去位置俯瞰画像（検知された駐車スペースＢＳ１の俯瞰画像を含む）を得る。
【００７６】
次に、自車両画像および現在位置俯瞰画像（駐車スペースＢＳ２の俯瞰画像を含む）を含む第１の俯瞰画像に対して、過去位置俯瞰画像（駐車スペースＢＳ１の俯瞰画像を含む）を合成して、第２の俯瞰画像を生成する。この生成の際、生成部１７は、記憶部１５から読み出した駐車スペースＢＳ１の位置情報に基づいて、駐車スペースＢＳ１の俯瞰画像の配置を行う。このとき、表示装置５における画像の表示範囲に応じて、第２の俯瞰画像における各画像の大きさを調整（例えば、縮小）してもよい。
【００７７】
このようにして生成される第２の俯瞰画像は、第１の俯瞰画像とは異なり、車両１が現時点よりも過去に位置していた位置で撮影された空き駐車スペースの撮影画像に基づいて生成された空き駐車スペースの俯瞰画像を含むものである。すなわち、第２の俯瞰画像は、第１の俯瞰画像の生成に用いられる画像が撮像された位置よりも、車両１が過去に位置していた位置で撮像された画像から生成された俯瞰画像を含むものである。
【００７８】
以上、ステップＳ８について説明したが、ステップＳ８における処理の順序は、上記説明に限定されない。
【００７９】
そして、生成部１７は、ステップＳ８で生成された第２の俯瞰画像を表示装置５へ出力する（ステップＳ９）。
【００８０】
これにより、表示装置５は、ステップＳ８で生成された第２の俯瞰画像の表示を行う。図４は、表示装置５に表示された第２の俯瞰画像の一例を示す図である。
【００８１】
図４に示すように、第２の俯瞰画像には、車両１を示す自車両画像Ｉ１、検知された空き駐車スペースである駐車スペースＢＳ２を示す駐車スペース画像Ｉ２、および、検知された空き駐車スペースである駐車スペースＢＳ１を示す駐車スペース画像Ｉ３が含まれる。
【００８２】
なお、上記ステップＳ８の説明では、検知された空き駐車スペースのうち、車両１の現在位置において各カメラの画角外にある駐車スペースが、駐車スペースＢＳ１のみである場合を例に挙げて説明したが、これに限定されない。検知された空き駐車スペースのうち、車両１の現在位置において各カメラの画角外にある駐車スペースが複数ある場合、それらの駐車スペースの俯瞰画像が含まれるように第２の俯瞰画像が生成される。
【００８３】
また、上記ステップＳ８の説明では、現在位置撮影画像に、検知された駐車スペースＢＳ２の撮影画像のみが含まれる場合を例に挙げて説明したが、これに限定されない。仮に駐車スペースＢＳ２に他車両が駐車しており、現在位置撮影画像にその他車両の撮影画像が含まれている場合、図４に示す第２の俯瞰画像は、駐車スペース画像Ｉ３のみを含み、駐車スペース画像Ｉ２を含まないものとなる。
【００８４】
以上、表示制御装置２００の動作例について説明した。
【００８５】
ここまで詳述したように、本実施の形態によれば、検知された空き駐車スペースが各カメラの現在の画角外であっても、車両１が現時点よりも過去に位置していた位置でその空き駐車スペースを撮影した画像に基づいてその空き駐車スペースの俯瞰画像を生成し、その空き駐車スペースの俯瞰画像を含む第２の俯瞰画像を生成し、表示するので、車両１の乗員は、検知された空き駐車スペースの位置を容易に認識できる。
【００８６】
なお、上述した実施の形態は、その趣旨を逸脱しない範囲において種々の変形が可能である。以下、変形例について説明する。
【００８７】
［変形例１］
上記実施の形態では、車両１の現在位置において、検知された空き駐車スペースが各カメラの画角外にある場合、車両１の乗員がその空き駐車スペースの位置を認識できないという課題が生じる旨を説明したが、車両１の現在位置から見て、検知された空き駐車スペースがそれに隣接する静止物の陰に隠れる場合も、同様の課題が生じる。本変形例は、その課題を解決することを目的とする。
【００８８】
本変形例に係る表示制御装置２００の動作について、図５を用いて説明する。図５は、本変形例に係る表示制御装置２００の動作例を示すフローチャートである。図５は、図３に対してステップＳ１１〜１５を追加したフローチャートである。以下では主に、ステップＳ１１〜Ｓ１５について説明する。
【００８９】
図５のフローは、空き駐車スペースの探索の開始時に開始される。なお、上述したとおり、空き駐車スペースの探索中では、各カメラ、自車位置センサ４、および検知部１１による各処理が、繰り返し行われる。
【００９０】
まず、判定部１６は、検知部１１により静止物が検知されたか否かを判定する（ステップＳ１１）。
【００９１】
検知部１１により静止物が検知された場合（ステップＳ１１：ＹＥＳ）、受取部１４は、検知部１１により検知された静止物の位置情報と、各カメラのうちの少なくとも１つにより撮影された静止物の撮影画像とを受け取り、それらを対応付けて記憶部１５に記憶させる（ステップＳ１２）。このステップＳ１２の処理は、静止物が検知される度に行われる。
【００９２】
なお、検知部１１により静止物が検知されない場合（ステップＳ１１：ＮＯ）、フローはステップＳ１へ進む。
【００９３】
ステップＳ１〜Ｓ７については、上記実施の形態において図３を用いて説明済みであるので、ここでの説明は省略する。
【００９４】
本変形例では、これらから生成される俯瞰画像に全ての空き駐車スペースが示されない場合（ステップＳ５：ＮＯ）、フローは、ステップＳ１３へ進む。
【００９５】
判定部１６は、検知された空き駐車スペースのうち、車両１の現在位置から見て静止物の陰に隠れる空き駐車スペースがあるか否かを判定する（ステップＳ１３）。
【００９６】
例えば、判定部１６は、検知された空き駐車スペース毎に、自車両位置情報、空き駐車スペースの位置情報、および静止物の位置情報に基づいて、空き駐車スペースが静止物の陰に隠れるか否かを判定する。
【００９７】
ここで、検知された空き駐車スペースが静止物の陰に隠れる場合の具体例について、図１を用いて説明する。
【００９８】
図１において、例えば、空き駐車スペースとして駐車スペースＢＳ１が検知され、車両１が駐車スペースＢＳ２の前方に停車した場合、車両１の位置から見て、駐車スペースＢＳ１は、駐車車両Ｖ２の陰に隠れることになる。この場合、判定部１６は、自車両位置情報、駐車スペースＢＳ１の位置情報、および駐車車両Ｖ２の位置情報に基づいて、駐車スペースＢＳ１が駐車車両Ｖ２の陰に隠れると判定する。
【００９９】
以下、図５の説明に戻る。
【０１００】
検知された空き駐車スペースのうち、静止物の陰に隠れる空き駐車スペースがない場合（ステップＳ１３：ＮＯ）、フローは、ステップＳ８〜Ｓ９へ進む。
【０１０１】
ステップＳ８〜Ｓ９については、上記実施の形態において図３を用いて説明済みであるので、ここでの説明は省略する。
【０１０２】
検知された空き駐車スペースのうち、静止物の陰に隠れる空き駐車スペースがある場合（ステップＳ１３：ＹＥＳ）、フローは、ステップＳ１４へ進む。
【０１０３】
生成部１７は、現在位置撮影画像、過去位置撮影画像、および自車両画像に基づいて、第３の俯瞰画像を生成する（ステップＳ１４）。
【０１０４】
ここで、ステップＳ１４について、検知された空き駐車スペースが図１に示した駐車スペースＢＳ１、ＢＳ２の２つであり、現在位置撮影画像に駐車スペースＢＳ２の撮影画像が含まれており、過去位置撮影画像に駐車車両Ｖ１、Ｖ２、駐車スペースＢＳ１それぞれの撮影画像が含まれている場合（例えば、車両１の現在位置において駐車車両Ｖ１、Ｖ２、および駐車スペースＢＳ１が各カメラの画角外である場合）を例に挙げて説明する。
【０１０５】
また、駐車車両Ｖ１、Ｖ２それぞれの撮影画像は、例えば、左サイドカメラ３ａが駐車車両Ｖ１、Ｖ２それぞれの車幅方向の中心に位置したときに撮影された画像であるとする。
【０１０６】
まず、生成部１７は、記憶部１５から読み出した現在位置撮影画像（検知された駐車スペースＢＳ２の撮影画像を含む）に対して例えば歪曲補正処理や射影変換処理等を施す。そして、生成部１７は、それらの処理により得られた現在位置俯瞰画像（検知された駐車スペースＢＳ２の俯瞰画像を含む）と、記憶部１５から読み出した自車両画像とを合成して、第１の俯瞰画像を生成する。この生成の際、生成部１７は、自車位置センサ４から受け取った自車位置情報（ここでは、車両１の停車位置を示す情報）と、駐車スペースＢＳ２の位置情報とに基づいて、自車両画像および駐車スペースＢＳ２の俯瞰画像の配置を行う。
【０１０７】
次に、生成部１７は、記憶部１５から読み出した現在位置撮影画像（検知された駐車スペースＢ１、駐車車両Ｖ１、Ｖ２それぞれの撮影画像を含む）に対して例えば歪曲補正処理や射影変換処理等を施す。生成部１７は、それらの処理により過去位置俯瞰画像（検知された駐車スペースＢＳ１、駐車車両Ｖ１、Ｖ２それぞれの俯瞰画像を含む）を得る。
【０１０８】
次に、自車両画像および現在位置俯瞰画像（駐車スペースＢＳ２の俯瞰画像を含む）第１の俯瞰画像に対して、過去位置俯瞰画像（駐車スペースＢＳ１、駐車車両Ｖ１、Ｖ２それぞれの俯瞰画像を含む）を合成して、第３の俯瞰画像を生成する。この生成の際、生成部１７は、記憶部１５から読み出した、駐車スペースＢＳ１、駐車車両Ｖ１、Ｖ２それぞれの位置情報に基づいて、駐車スペースＢＳ１、駐車車両Ｖ１、Ｖ２それぞれの俯瞰画像の配置を行う。このとき、表示装置５における画像の表示範囲に応じて、第３の俯瞰画像における各画像の大きさを調整（例えば、縮小）してもよい。
【０１０９】
以上、ステップＳ１３について説明したが、ステップＳ１３における処理の順序は、上記説明に限定されない。
【０１１０】
次に、生成部１７は、ステップＳ１３で生成された第３の俯瞰画像を表示装置５へ出力する（ステップＳ１５）。
【０１１１】
これにより、表示装置５は、ステップＳ１３で生成された第３の俯瞰画像の表示を行う。図６は、表示装置５に表示された第３の俯瞰画像の一例を示す図である。
【０１１２】
図６に示すように、第３の俯瞰画像には、図４に示した自車両画像Ｉ１、駐車スペース画像Ｉ２、および駐車スペース画像Ｉ３に加えて、駐車車両Ｖ１を示す駐車車両画像Ｉ４および駐車車両Ｖ２を示す駐車車両画像Ｉ５が含まれる。
【０１１３】
なお、説明を分かり易くするため、図６では、駐車車両画像Ｉ４、Ｉ５が、それぞれ、駐車車両Ｖ１、Ｖ２の形状を鮮明に示す画像である場合を例示したが、これに限定されない。一般的に、平面（例えば、駐車スペース）が映った撮影画像を俯瞰画像に変換した場合、俯瞰画像における平面の形状は、その平面を真上から見た形状となるが、立体物（例えば、駐車車両）が映った撮影画像を俯瞰画像に変換すると、俯瞰画像における立体物の形状は、その立体物を真上から見た形状とは異なる形状となる。例えば、駐車車両が映った撮影画像を俯瞰画像に変換すると、その俯瞰画像における駐車車両の形状は、歪んだ形状（例えば、斜め上方に飛び出たような形状）となる。よって、駐車車両画像Ｉ４、Ｉ５それぞれにおける駐車車両Ｖ１、Ｖ２の形状は、歪んだ形状であってもよい。
【０１１４】
また、例えば、駐車車両画像Ｉ５における駐車車両Ｖ２の形状が大きく歪んでいる（例えば、駐車スペースＢＳ１の俯瞰画像の方向に飛び出ている）ことで、第３の俯瞰画像を生成する際に、駐車車両画像Ｉ５が駐車スペース画像Ｉ３と重なる場合、生成部１７は、駐車車両画像Ｉ５における駐車スペース画像Ｉ３との重複部分を削除する等の処理を行ってもよい。これにより、表示装置５に表示される第３の俯瞰画像には、駐車スペース画像Ｉ３との重複部分が削除された駐車車両画像Ｉ５が含まれる。
【０１１５】
また、本変形例では、静止物の撮影画像に基づいて生成された俯瞰画像（例えば、駐車車両画像Ｉ４、Ｉ５）を用いる場合を例に挙げて説明したが、これに限定されず、予め用意された駐車車両画像を用いてもよい。この駐車車両画像は、自車両画像Ｉ１と同様に、所定の車両の俯瞰画像である。
【０１１６】
以上、本変形例に係る表示制御装置２００の動作例について説明した。
【０１１７】
本変形例によれば、検知された空き駐車スペースが車両１の現在位置から見て静止物の陰に隠れる場合、検知された全ての空き駐車スペースを示す画像および自車両画像に加えて、静止物を示す画像も表示されるので、車両１の乗員は、検知された空き駐車スペースの位置をより容易に認識できる。
【０１１８】
［変形例２］
実施の形態および変形例１では、空き駐車スペースが検知されたときに報知画像を表示装置５へ出力する場合を例に挙げて説明したが、報知画像の出力処理は、行われなくてもよい。
【０１１９】
また、実施の形態および変形例１では、空き駐車スペースが検知された後、車両１が停車したことをトリガとして、ステップＳ５の判定処理が行われる場合を例に挙げて説明したが、これに限定されない。例えば、車両１の乗員により俯瞰画像の表示を指示する操作が行われたことをトリガとして、ステップＳ５の判定処理が行われてもよい。
【０１２０】
また、第２の俯瞰画像または第３の俯瞰画像は、空き駐車スペースの探索のために車両１が走行している間、継続的に生成および表示されてもよい。例えば、第２の俯瞰画像は、車両１が走行している間、車両１の現在位置から所定範囲内に存在する空き駐車スペースの俯瞰画像が表示されるように更新されてもよい。また、例えば、第３の俯瞰画像は、車両１が走行している間、車両１の現在位置から所定範囲内に存在する空き駐車スペースおよび静止物それぞれの俯瞰画像が表示されるように更新されてもよい。
【０１２１】
［変形例３］
図２では、表示制御装置２００が駐車支援装置１００に含まれる場合を例示したが、表示制御装置２００と駐車支援装置１００とは別体であってもよい。その場合、表示制御装置２００は、駐車支援装置１００から、検知部１１および判定部１６による処理結果を示す情報を受け取り、その情報に基づいて上述した各処理（例えば、判定部１６、生成部１７がそれぞれ行う処理）を行う。
【０１２２】
［変形例４］
実施の形態では、検知部１１が車載カメラ（例えば、カメラ群３）により撮影された画像に基づいて空き駐車スペースや静止物を検知する場合を例に挙げて説明したが、これに限定されない。例えば、車両１が車載カメラ以外の検知デバイスを備える場合、その検知デバイスから受け取る信号等に基づいて、空き駐車スペースや静止物を検知してもよい。車載カメラ以外の検知デバイスとしては、例えば、車両１の周辺に電波を送信し、その反射波を受信するレーダデバイス、または、車両１の周辺に音波を送信し、その反射波を受信する超音波ソナー等が挙げられる。レーダデバイスとしては、例えば、ミリ波レーダ、または、レーザレーダなどを用いることができる。レーザレーダは、ＬＩＤＡＲ（Light Detection and Ranging）とも呼ばれる。
【０１２３】
なお、より検知精度を向上させるために、検知部１１は、車載カメラにより撮影された画像と、検知デバイスにより受信された反射波を示す信号との両方に基づいて、空き駐車スペースや静止物を検知してもよい。
【０１２４】
［変形例５］
実施の形態では、車両１が自動駐車を行うことができる車両である場合を例に挙げて説明したが、車両１は、自動駐車を行うことができない車両であってもよい。その場合、走行制御部１２は、車両１の乗員による加減速、制動、操舵の操作に基づいて、アクチュエータ群６を制御する。
【０１２５】
以上、変形例について説明した。なお、各変形例は、適宜組み合わせて実現されてもよい。
【０１２６】
＜本開示のまとめ＞
本開示のまとめは、以下のとおりである。
【０１２７】
本開示の表示制御装置は、車両の周辺に存在する空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させる受取部と、前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力する生成部と、を有し、前記表示装置に表示される前記表示用俯瞰画像には、前記カメラの現在の画角外にある前記空き駐車スペースの俯瞰画像と、前記車両の現在の位置から見て静止物の陰に隠れる前記空き駐車スペースの俯瞰画像と、のうち少なくとも一方が含まれる。
【０１２８】
また、本開示の表示制御装置において、前記表示用俯瞰画像は、前記車両が走行している間、前記車両の現在位置から所定範囲内に存在する前記空き駐車スペースの俯瞰画像が表示されるように更新される。
【０１２９】
また、本開示の表示制御装置において、前記受取部は、前記車両の周辺に存在する静止物が検知される度に、前記静止物の位置情報、および、前記カメラにより撮影された前記静止物の撮影画像を受け取り、前記静止物の位置情報と前記静止物の撮影画像とを対応付けて前記記憶部に記憶させ、前記生成部は、前記静止物の撮影画像に基づいて前記静止物の俯瞰画像を生成し、前記静止物の位置情報に基づいて前記静止物の俯瞰画像をさらに前記表示用俯瞰画像に含めて前記表示装置へ出力する。
【０１３０】
また、本開示の表示制御装置において、前記表示装置に表示される前記表示用俯瞰画像には、前記カメラの画角外にある前記静止物の俯瞰画像が含まれる。
【０１３１】
また、本開示の表示制御装置において、前記表示装置に表示される前記表示用俯瞰画像には、前記空き駐車スペースの俯瞰画像との重複部分が削除された前記静止物の俯瞰画像が含まれる。
【０１３２】
また、本開示の表示制御装置において、前記表示用俯瞰画像は、前記車両が走行している間、前記車両の現在位置から所定範囲内に存在する前記空き駐車スペースおよび前記静止物それぞれの俯瞰画像が表示されるように更新される。
【０１３３】
また、本開示の表示制御装置において、前記車両は、前記空き駐車スペースに自動駐車を行う車両である。
【０１３４】
本開示の駐車支援装置は、車両の周辺に存在する空き駐車スペースを検知する検知部と、前記車両の走行を制御し、前記空き駐車スペースに前記車両を自動駐車させる走行制御部と、前記検知部により前記空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させる受取部と、前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力する生成部と、を有し、前記表示装置に表示される前記表示用俯瞰画像には、前記カメラの現在の画角外にある前記空き駐車スペースの俯瞰画像と、前記車両の現在の位置から見て静止物の陰に隠れる前記空き駐車スペースの俯瞰画像と、のうち少なくとも一方が含まれる。
【０１３５】
本開示の表示制御方法は、車両に搭載される装置が行う表示制御方法であって、前記車両の周辺に存在する空き駐車スペースが検知される度に、前記空き駐車スペースの位置情報、および、前記車両に搭載されたカメラにより撮影された前記空き駐車スペースの撮影画像を受け取り、前記空き駐車スペースの位置情報と前記空き駐車スペースの撮影画像とを対応付けて記憶部に記憶させるステップと、前記車両が現時点よりも過去に位置していた位置で撮影された前記空き駐車スペースの撮影画像に基づいて前記空き駐車スペースの俯瞰画像を生成し、前記空き駐車スペースおよび前記車両それぞれの位置情報に基づいて少なくとも前記空き駐車スペースの俯瞰画像および前記車両の俯瞰画像を含む表示用俯瞰画像を生成し、前記表示用俯瞰画像を前記車両に搭載された表示装置へ出力するステップと、を有し、前記表示装置に表示される前記表示用俯瞰画像には、前記カメラの現在の画角外にある前記空き駐車スペースの俯瞰画像と、前記車両の現在の位置から見て静止物の陰に隠れる前記空き駐車スペースの俯瞰画像と、のうち少なくとも一方が含まれる。
【産業上の利用可能性】
【０１３６】
本開示の表示制御装置、駐車支援装置、および表示制御方法は、車両の駐車支援に有用である。
【符号の説明】
【０１３７】
１  車両
３  カメラ群
３ａ  左サイドカメラ
３ｂ  右サイドカメラ
３ｃ  フロントカメラ
３ｄ  リアカメラ
４  自車位置センサ
５  表示装置
６  アクチュエータ群
１１  検知部
１２  走行制御部
１４  受取部
１５  記憶部
１６  判定部
１７  生成部
１００  駐車支援装置
２００  表示制御装置
【図１】
2020147229.tif 000003
【図２】
2020147229.tif 000004
【図３】
2020147229.tif 000005
【図４】
2020147229.tif 000006
【図５】
2020147229.tif 000007
【図６】
2020147229.tif 000008
【図７】
2020147229.tif 000009